(57)【要約】【課題】録画番組の反響の大きさを示す反響度（その番組が話題となった反響の程度を表す情報）を求め、その反響度の大きな録画番組の視聴をユーザに促す。【解決手段】放送局から配信された番組を録画した場合、インターネット３０上に公開されているブログの中から、この番組に関する記事（ブログコンテンツ）を含み、かつ、番組が放送されてから所定の期間（例えば、番組の放送が終了してから３時間）が経過するまでに、この番組に関連する記事が更新されているブログを検索する。そして、この番組と各ブログで更新されたブログコンテンツとの関連度を計算し、さらに、すべてのブログにおけるこの番組に係る関連度を合計することで、この番組の反響度を計算する。この反響度が高い番組に対しては高い優先度を与えて処理を行う。【選択図】図１
2009200918.tif 000002
【特許請求の範囲】
【請求項１】
配信される番組データの記録及び再生を行う番組記録再生装置であって、
前記番組データの配信スケジュールを含む番組表情報を取得し、格納する番組表取得／格納手段と、
前記番組データを記録する番組記録手段と、
所定のネットワーク上で公開されている個人の記録情報の中から、前記番組記録手段によって記録される録画番組データに関する書き込み情報を含む個人の記録情報であって、かつ、前記録画番組データが配信されてから所定の期間内に更新された前記録画番組データに関する書き込み情報を含む個人の記録情報を検索する記録情報検索手段と、
前記番組表取得／格納手段に格納されている前記録画番組データに関する番組表情報と、前記記録情報検索手段で検索された前記個人の記録情報との関連性の度合いである関連度を計算する関連度計算手段と、
前記記録情報検索手段で検索された複数の前記個人の記録情報に関して計算された前記録画番組データに対する前記個人の記録情報の関連度に基づいて、前記録画番組データに対する世間の反響の度合いである反響度を計算する反響度計算手段と、
前記録画番組データに対する反響度に基づいて、前記録画番組データの視聴に関する優先度を設定する優先度設定手段とを、
有する番組記録再生装置。
【請求項２】
前記録画番組データの視聴率を取得する視聴率取得手段と、
前記視聴率取得手段で取得した前記録画番組データの視聴率に基づいて、前記反響度計算手段で得られた前記反響度を補正する反響度補正手段とを、
有することを特徴とする請求項１に記載の番組記録再生装置。
【請求項３】
前記反響度計算手段は、前記録画番組データに関連した前記書き込み情報の時刻経過に対する更新件数の変化の情報を更に用いて、前記対象番組データに対する前記反響度を計算する手段であることを特徴とする請求項１又は２に記載の番組記録再生装置。
【請求項４】
前記記録情報検索手段は、外部から入力される、１つ以上の所定の情報を検索条件として設定するとともに、前記個人の記録情報を更新しているユーザのプロフィール情報を取得し、このプロフィール情報に前記検索条件として設定された情報が含まれている前記個人の記録情報を抽出し、この抽出した個人の記録情報を、前記反響度の計算に用いる手段であることを特徴とする請求項１から３のいずれか１つに記載の番組記録再生装置。
【請求項５】
前記優先度設定手段で設定された優先度が高い録画番組から順に所定数の録画番組、又は、前記優先度が所定の閾値を超えた１つ以上の録画番組を通知する通知手段を有することを特徴とする請求項１から４のいずれか１つに記載の番組記録再生装置。
【発明の詳細な説明】
【技術分野】
【０００１】
本発明は、多数の人々が視聴可能な放送番組（配信番組）を受信し、その番組のデータを記録したり、記録したデータを再生したりすることが可能な番組記録再生装置に関する。
【背景技術】
【０００２】
近年、ＨＤＤ（Hard Disc Drive：ハードディスクドライブ）などの大容量の記録媒体を利用した映像コンテンツ記録再生装置が広く普及している。このような映像コンテンツ記録再生装置は、例えば、番組の配信スケジュールや簡単な番組説明を含むＥＰＧ（Electronic Program Guide：電子番組表ガイド）の情報を利用したキーワードに基づく録画設定機能など、ユーザの利便性を向上させる様々な機能を有している。
【０００３】
しかしながら、ユーザ自ら直接録画予約の設定を行った番組やキーワード検索などで自動録画予約の設定が行われた番組を録画するだけでは、ユーザの嗜好に合った番組は録画できるが、これとは別に、世間が注目していた番組や反響の大きかった番組は、録画できない可能性がある。
【０００４】
世間が注目していた番組を把握するための目安として、例えば視聴率を利用することが可能である。なお、視聴率は、番組がどのくらいの人々（あるいは世帯）に視聴されているかを示す数値である。例えば、下記の特許文献１には、過去に放送された番組の視聴率を用いて、これから録画する番組の録画優先順位を決定する技術が提案されている。
【０００５】
しかしながら、視聴率はあくまでも番組の視聴者の割合を示す指標に過ぎず、高視聴率の番組であっても、その番組に対する反響が実際に大きかったと結論付けることは困難である。逆に、視聴率が低い番組であっても反響が大きかった番組も存在し得る。また、生放送中の出来事などは予期できないので、生放送中に生じた反響の大きな出来事は視聴率には反映されない。
【０００６】
一方、ブログ（ウェブログとも呼ばれる）と呼ばれるインターネットを利用した個人の公開記録情報が存在している。例えば、下記の特許文献２には、ブログに書き込まれた記事（ブログコンテンツ又は書き込み情報）に記述されているキーワードを抽出し、そのキーワードに順位を付けて、所定の順位までのキーワードと同一キーワードを番組情報に含んでいる番組を表示させる技術が提案されている。
【特許文献１】特開２００５−１８４２８９号公報
【特許文献２】特開２００７−２８３１０号公報
【発明の開示】
【発明が解決しようとする課題】
【０００７】
視聴率を用いた従来の方法（例えば、特許文献１に開示されている技術を用いた方法）では、世間の多くの人が視聴した番組を録画・視聴することは可能であったが、視聴率の高い番組と反響の大きい番組とは必ずしも相関があるわけではなく、世間で話題になった番組や反響が大きかった番組を逃がさず視聴することが困難な場合も多い。
【０００８】
また、ブログのキーワードを含む番組を表示させる従来の方法（例えば、特許文献２に開示されている技術を用いた方法）では、順位の高いキーワードを含むブログが番組について書かれているとは限らないため、ブログで使用頻度の高いキーワードと番組情報とのマッチングが高いだけでは、世間で話題になった番組や反響が大きかった番組を正確に特定できないという問題がある。
【０００９】
上記の問題を解決するため、本発明は、録画番組の反響の大きさを示す反響度（その番組が話題となった反響の程度を表す情報）を求め、その反響度の大きな録画番組の視聴をユーザに促すことが可能な番組記録再生装置を提供することを目的とする。
【課題を解決するための手段】
【００１０】
上記の目的を達成するため、本発明によれば、配信される番組データの記録及び再生を行う番組記録再生装置であって、
前記番組データの配信スケジュールを含む番組表情報を取得し、格納する番組表取得／格納手段と、
前記番組データを記録する番組記録手段と、
所定のネットワーク上で公開されている個人の記録情報の中から、前記番組記録手段によって記録される録画番組データに関する書き込み情報を含む個人の記録情報であって、かつ、前記録画番組データが配信されてから所定の期間内に更新された前記録画番組データに関する書き込み情報を含む個人の記録情報を検索する記録情報検索手段と、
前記番組表取得／格納手段に格納されている前記録画番組データに関する番組表情報と、前記記録情報検索手段で検索された前記個人の記録情報との関連性の度合いである関連度を計算する関連度計算手段と、
前記記録情報検索手段で検索された複数の前記個人の記録情報に関して計算された前記録画番組データに対する前記個人の記録情報の関連度に基づいて、前記録画番組データに対する世間の反響の度合いである反響度を計算する反響度計算手段と、
前記録画番組データに対する反響度に基づいて、前記録画番組データの視聴に関する優先度を設定する優先度設定手段とを、
有する番組記録再生装置が提供される。
【００１１】
さらに、本発明によれば、上記の構成に加えて、前記録画番組データの視聴率を取得する視聴率取得手段と、
前記視聴率取得手段で取得した前記録画番組データの視聴率に基づいて、前記反響度計算手段で得られた前記反響度を補正する反響度補正手段とを、
有することを特徴とする番組記録再生装置が提供される。
【００１２】
さらに、本発明によれば、上記の構成に加えて、前記反響度計算手段は、前記録画番組データに関連した前記書き込み情報の時刻経過に対する更新件数の変化の情報を更に用いて、前記対象番組データに対する前記反響度を計算する手段であることを特徴とする番組記録再生装置が提供される。
【００１３】
さらに、本発明によれば、上記の構成に加えて、前記記録情報検索手段は、外部から入力される、１つ以上の所定の情報を検索条件として設定するとともに、前記個人の記録情報を更新しているユーザのプロフィール情報を取得し、このプロフィール情報に前記検索条件として設定された情報が含まれている前記個人の記録情報を抽出し、この抽出した個人の記録情報を、前記反響度の計算に用いる手段であることを特徴とする番組記録再生装置が提供される。
【００１４】
さらに、本発明によれば、上記の構成に加えて、前記優先度設定手段で設定された優先度が高い録画番組から順に所定数の録画番組、又は、前記優先度が所定の閾値を超えた１つ以上の録画番組を通知する通知手段を有することを特徴とする請求項１から４のいずれか１つに記載の番組記録再生装置が提供される。
【発明の効果】
【００１５】
本発明の番組記録再生装置は、録画番組の反響の大きさを示す反響度（その番組が話題となった反響の程度を表す情報）を求め、その反響度の大きな録画番組の視聴をユーザに促すことが可能となるという効果を奏する。
【発明を実施するための最良の形態】
【００１６】
以下、図面を参照しながら、本発明の第１及び第２の実施の形態について説明する。なお、以下では、多数の人々が視聴可能な放送番組を映像及び音声によって構成されるテレビジョン番組に関して主に説明を行うが、音声のみを含むラジオ番組やその他の形式の情報を含むインターネット配信番組などを始めとする任意の放送番組（配信番組）に関しても、本発明の番組記録再生装置は適用可能である。
【００１７】
＜第１の実施の形態＞
本発明の第１の実施の形態について説明する。まず、図１及び図２を参照しながら、本発明の第１の実施の形態における映像記録再生装置（番組記録再生装置）を含むシステム構成について説明する。なお、図１及び図２は共に、本発明の第１の実施の形態に係るシステム構成の一例を示す図であるが、図１には主に映像記録再生装置の構成が図示されており、図２には主にインターネット上の構成が図示されている。
【００１８】
図１において、本発明の第１の実施の形態における映像記録再生装置１は、ユーザ入力部２、録画設定部３、受信部４、コンテンツ管理部５、ブログ検索部６、番組選定部７、番組選定設定部８、ＥＰＧ情報記憶部９、コンテンツ記録媒体１０、読み出し／書き込み制御部１１、データ処理部１２、表示出力処理部１３、視聴率抽出部１８を有している。
【００１９】
ユーザ入力部２は、映像記録再生装置１に対してユーザが動作設定（例えば、録画設定など）や動作指示（例えば、再生指示、録画指示など）を行うための入力インタフェースである。
【００２０】
録画設定部３は、ユーザ入力部２からの指示に基づいて番組の録画設定（手動録画設定）を行う機能や、ＥＰＧ情報から抽出されたキーワードに基づいて番組の録画設定（自動録画設定）を行う機能を有している。
【００２１】
受信部４は、放送局１４から提供される放送番組を受信する機能（チューナなどの機能）を有している。なお、受信部４は、放送番組を放送電波の受信及び処理を行うことで放送番組を受信してもよく、あるいは、有線（ケーブル）などを通じて番組のデータの受信及び処理を行うことで放送番組を受信してもよい。
【００２２】
コンテンツ管理部５は、録画の際に録画番組のＥＰＧ情報をＥＰＧ情報記憶部９に記憶させる機能、番組に対する反響度の判定に必要なブログの情報をブログ検索部６に検索させる機能、番組に対する反響度の補正に必要な視聴率データを視聴率抽出部１８に取得させる機能、録画された各番組とブログ検索部６で検索された各ブログの情報との関連度を番組選定部７に判定させる機能、番組選定部７で得られたブログ群全体の各番組に対する反響度を各番組の視聴率データによって補正する機能、番組選定部７と協同して各番組の反響度に基づいた優先度（優先順位）の設定を行う機能などを有している。
【００２３】
ブログ検索部６は、番組への反響度の判定に必要なブログの情報を検索する機能を有しており、例えば、番組の放送時間帯（あるいは、番組開始時又は番組終了時）から所定の時間（例えば、３時間）が経過するまでに更新されたブログを特定する機能を有している。なお、ブログ検索部６は、所定の時間に更新されたブログを、ｗｅｂサーバ１５に問い合わせることによって検出してもよく、例えばＲＳＳ（RDF Site Summary）フォーマットなどを用いて自ら検出してもよい。
【００２４】
番組選定部７は、ＥＰＧ情報記憶部９内に記憶されている各録画番組のＥＰＧ情報に基づいて、ブログ検索部６で検索されたブログの情報が各番組にどの程度関連しているかを示す関連度を判定する機能を有している。例えば、番組選定部７は、各ブログにおける番組への注目度（例えば、その番組に関するキーワードの抽出数やブログコンテンツ（ブログに記載された記事）の文字数などによって判定）などに基づいて、各ブログにおける各番組への関連度を点数によって表し、番組ごとに各ブログにおける関連度を表す点数の合計を計算して、その計算された合計点数をブログ群全体の各番組に対する反響度とする。
【００２５】
さらに、番組選定部７は、各番組に対する反響度に関して、所定の反響度（基準値）を超える反響度が得られた番組に関しては、他の録画番組に比べてその録画番組の視聴に関する優先順位を上げるとともに、世間で注目されていた番組とみなすことが可能である。この場合、映像記録再生装置１は、例えばその旨（この番組が世間で注目されている旨）をユーザに通知してもよい。なお、映像記録再生装置１は、この優先順位を、例えばユーザに対してこの番組に係る世間の注目度が高くなっている旨を通知したり、優先順位の高い順（あるいは優先順位の上げ幅が大きい順）にリスト表示の順番を並べ換えたりするなど、様々な処理に利用可能である。また、番組選定部７による判定で、その反響度が所定の反響度を超えなかった番組に関しては、世間ではあまり注目されていない番組とみなすことが可能である。この場合、映像記録再生装置１は、例えば、所定の反響度を超えなかった番組の優先順位を下げたり、その番組のデータ（コンテンツ記録媒体１０に記録された番組のデータ）の画質を落として（あるいは、番組のデータそのものを削除して）データ容量を削減したりしてもよい。
【００２６】
番組選定設定部８は、ユーザ入力部２から入力された各番組に対する反響度の判定に必要な設定が、番組選定部７による各番組に対する反響度の判定に反映されるように設定する機能を有している。各番組に対する反響度の判定に必要な設定としては、例えば、番組に関するブログコンテンツを掲載するブログが何件以上存在する場合に番組に対する反響度を計算するか、どのくらいの期間の間に更新されたブログを対象とするか、どの程度の反響度（基準値）を超えれば世間で注目されている番組とみなすか、などの様々な設定が挙げられる。ユーザは、これらの設定をユーザの好みに応じて調整できることが望ましい。
【００２７】
ＥＰＧ情報記憶部９は、コンテンツ記録媒体１０内に記録された録画番組のＥＰＧ情報を記憶する機能を有している。また、コンテンツ記録媒体１０は、録画設定された番組（録画番組）のデータを格納する機能を有している。
【００２８】
読み出し／書き込み制御部１１は、録画設定部３による番組の録画設定に従って、受信部４で受信した番組のデータをコンテンツ記録媒体１０に記録したり、ユーザ入力部２からの再生指示に基づいてコンテンツ記録媒体１０に記録されている番組のデータを読み出したりする機能を有している。
【００２９】
データ処理部１２は、読み出し／書き込み制御部１１によってコンテンツ記録媒体１０から読み出された番組のデータの動画再生処理（例えばデコード処理）を行う機能を有し、表示出力処理部１３は、データ処理部１２で処理されたデータをモニタなどの表示部で表示（さらには音声出力）させるための信号に変換して出力する機能を有している。
【００３０】
視聴率抽出部１８は、番組選定部７で番組に対する反響度を評価する際に、この反響度の補正に用いられる視聴率データを取得する機能を有している。視聴率抽出部１８は、例えば、インターネット３０上の視聴率提供サーバ（図示せず）から該当番組の視聴率を取得することが可能である。
【００３１】
また、図２において、ｗｅｂサーバ１５は、ブログ抽出部１６、データベースサーバ１９、ブログデータベース２０を有し、インターネット３０に接続されている。
【００３２】
ブログ抽出部１６は所定の条件を満たすブログを抽出する機能を有している。例えばブログ抽出部１６は、映像記録再生装置１のブログ検索部６から指定された番組に関して、その番組の放送時間帯（あるいは、番組開始時又は番組終了時）から所定の時間（例えば３時間）が経過するまでに更新されたブログ群を、データベースサーバ１９を介してブログデータベース２０から検索する。
【００３３】
データベースサーバ１９は、ブログデータベース２０の管理を行う機能を有しており、ブログデータベース２０は、ブログを更新している多数のユーザが各自のブログに書き込んだブログコンテンツを格納する機能を有している。
【００３４】
なお、映像記録再生装置１は、最終的に、ある特定の番組の放送時間帯（あるいは、番組開始時又は番組終了時）から所定の時間が経過するまでに更新されたブログ群の中から、その特定の番組に関するブログコンテンツが掲載されているブログを抽出できればよい。このようなブログの抽出を行うための機能（例えば、所定の時間内に更新されたブログの抽出する機能や、ある特定の番組に関するブログコンテンツが掲載されているか否かを判定する機能など）は、映像記録再生装置１及びｗｅｂサーバ１５のいずれか一方に設けられていてもよく、映像記録再生装置１及びｗｅｂサーバ１５の両方に機能が分散されていてもよい。
【００３５】
また、ここでは、１つのｗｅｂサーバ１５（１つのデータベースサーバ１９）によってブログデータベース２０が管理されているが、異なるブログ管理業者によって管理されている複数のブログデータベース２０から、必要なブログの情報を抽出することも可能である。
【００３６】
次に、図３を参照しながら、本発明の第１の実施の形態における映像記録再生装置の動作について説明する。図３は、本発明の第１の実施の形態における映像記録再生総理の動作の一例を示すフローチャートである。
【００３７】
図３において、まず、映像記録再生装置１は、録画中あるいは録画済みの各番組に対して、所定の時間内（例えば、番組の放送終了から３時間以内）に更新されたブログ群をインターネット上から抽出する（ステップＳ１０１）。そして、映像記録再生装置１は、例えばＥＰＧ情報やブログ内の情報（キーワードなど）に基づいて、所定の時間内に更新されたブログ群の中から、所定時間内の各番組に関連したブログコンテンツが掲載されているブログを検索する（ステップＳ１０２）。
【００３８】
なお、このステップＳ１０２におけるブログの検索の際に各ブログに点数を付け、番組との関連度の高いブログを特定することが可能である。例えば、番組名がそのままブログに記載されていれば、そのブログを、番組との関連度がかなり高いブログと判定することが可能である。また、出演者の名前が記載されていれば、そのブログの番組に対する関連度はやや高く、出演者の名前が複数書かれているほど関連度が高くなると判定してもよい。また、ブログと番組との関連度は録画開始からの時間の経過によっても変化させてもよい。例えば番組の録画中や録画終了直後にブログが更新された場合には、ブログと番組との関連度が高いと判定し、一方、番組の録画が終了してから長い時間が経過した後に更新されたブログに関しては、そのブログと番組との関連度が低くなると判定してもよい。
【００３９】
映像記録再生装置１は、点数付けされた各番組に対する各ブログの関連度の合計を計算し、その計算結果を各番組のへ反響度とする（ステップＳ１０３）。なお、可能であれば、映像記録再生装置１は各番組の視聴率を取得し（ステップＳ１０４）、各番組の視聴率を考慮して各番組に対する反響度を補正してもよい（ステップＳ１０５）。
【００４０】
例えば、番組の視聴率が高視聴率であれば、それだけ番組に関連するブログコンテンツが掲載されたブログの数も多いことが予想されるので、その番組に対する反響度が相対的に低くなるように補正する。すなわち、高視聴率の番組に関するブログコンテンツが多数のブログで話題となるのはある程度予想され得る事象であることを考慮して補正を行う。逆に、番組が低視聴率であるにもかかわらず、その番組に関連するブログコンテンツか掲載されたブログの数が多ければ、その番組の反響が大きかったとみなし、その番組に対する反響度が相対的に増加するように補正する。
【００４１】
そして、映像記録再生装置１は、各番組に対する反響度（ステップＳ１０５で補正が行われた場合には、補正後の反響度）が所定の反響度（基準値）に達しているか否かを判断する（ステップＳ１０６）。反響度が所定の反響度に達した番組に関しては、その番組を世間の反響が大きかった番組とみなし、番組の優先順位を上げるとともに（ステップＳ１０７）、ユーザに対してその対象番組が世間から注目されている旨を通知する（ステップＳ１０８）。なお、ステップＳ１０８の通知方法として、例えば、ステップＳ１０７で優先順位が上げられた番組が同一の日に複数存在する場合には、翌日に『昨日の注目番組』としてまとめてユーザに通知してもよい。
【００４２】
一方、映像記録再生装置１は、反響度が所定の反響度に達しなかった番組に関しては、その対象番組に対してのブログの書き込みがあまりなく、世間での反響が低かった番組とみなし（ステップＳ１０９）、特にこの番組の優先順位を上げることはしない。なお、映像記録再生装置１は、各番組の関連度や視聴率に応じて各番組の優先順位を変化させてもよく、さらに、コンテンツ記録媒体１０の容量の節約のため、優先順位の低い番組のデータの画質を落としたり、番組のデータそのものを削除したりしてもよい。
【００４３】
また、図６は、本発明の第１の実施の形態における映像記録再生装置１のブログ検索部６が、番組の録画終了時点（放送終了時点）から所定時間（例えば、３時間）が経過するまでに更新されたブログ群をＷｅｂサーバ１５から検索した検索結果を示すグラフである。
【００４４】
図６には、２１：００（番組の放送終了時刻）から０：００（番組の放送終了時点から３時間後）までの３時間に、各番組１〜３に関連したブログコンテンツが更新されたブログの更新件数の累計の一例がグラフによって示されている。なお、番組１〜３のいずれの番組も２１：００に放送が終了したものとする。また、図６において、番組１〜３のいずれの番組に関しても、各番組１〜３に関連したブログコンテンツが更新されたブログの件数（更新ブログ件数）の累計は、２１：００から０：００までの３時間で１０００件に達するものとする。
【００４５】
図６のグラフから、番組１に関しては番組終了後１時間のうちにブログ更新が集中しており、番組２に関しては番組終了後から時間経過に対して一定の件数（一定の割り合い）でブログ更新が行われており、番組３に関しては番組終了からしばらく経ってからブログ更新が集中していることが分かる。
【００４６】
なお、ブログを書く立場の心境としては、番組の内容が衝撃的であった場合は、番組が終了したらすぐにブログを書くと考えられるため、番組１は多くの人たちにインパクトの強かった番組だったと考えられる。また、番組２は一定の割り合いで更新されているため、番組１程のインパクトは無かったと考えられる。また、番組３はインパクトこそ無かったが、心に残った番組だったか、あるいは、番組は観なかったが口コミやニュースなどで知り反響があった番組と考えることもできる。
【００４７】
映像記録再生装置１は、上述のようなブログの時間的な更新状況の変化（例えば、上述のような番組の放送終了時刻とブログの更新件数との関係）を取得することによって、各番組に対する反響度を決定することが可能である。例えば、ユーザの好みに応じて、番組１のようなインパクトの強い番組のみの優先順位を上げたり、番組３のような後から心に残った番組のみの優先順位を上げたりする設定が行われてもよい。なお、ここでは、ブログの更新状況の監視期間を番組の放送終了時点から数時間程度としているが、もっと長い期間（例えば、数日あるいは数週間）としてもよい。
【００４８】
また、毎日あるいは毎週などのように定期的に放送される番組（例えば、連続ドラマなどような番組）に関しては、番組に関するブログの更新状況を毎回の放送ごとに監視し、その監視結果から各回の番組に対する反響度を取得するとともに、各回の番組に対する反響度を比較することも可能である。
【００４９】
図７は、本発明の第１の実施の形態における映像記録再生装置１のブログ検索部６が、放送回の異なる同一番組の録画終了後に更新されたブログ群をＷｅｂサーバ１５から検索した検索結果を示すグラフである。なお、ここでは、定期的に連続して放送されている番組を所定の期間（例えば４週間）連続して監視し、その監視結果から各回の番組に対する反響度を取得し、各回の番組に対する反響度の比較を行っている。
【００５０】
図７において、番組１に関しては、例えば１週目の放送から４週目の放送まで徐々にそのブログ件数が減少している。このようなブログ件数の減少は、その番組の反響が緩やかに下降していることを示している。これは、初回放送は皆注目するが、その次の週からは初回ほど興味が無くなっていくものを示した結果であり、通常の番組はこのような反響の変化を見せる。
【００５１】
また、図７において、番組２に関しては、１週目の放送のブログ件数が多いが、２週目以降はブログ件数が極端に減少している。このような番組は、初回の反響が大きかっただけであり、全体としてはその番組の反響は小さいことを示している。こうした比較結果が得られた場合には、映像記録再生装置１は、例えば、毎週録画されて蓄積されている番組２の優先順位を下げたり、１週目の番組のみ優先順位を上げて残り（その他の放送回）に関しては優先順位を下げたりしてもよい。
【００５２】
また、図７において、番組３に関しては、１週目の放送のブログ件数から毎週徐々に増え続けている。このような番組は、安定して反響があることを示している。こうした比較結果が得られた場合には、映像記録再生装置１は、例えば、毎週録画されて蓄積されている番組３の優先順位を上げてもよい。
【００５３】
なお、映像記録再生装置１は、図６や図７に図示されているようなブログの時間的な更新状況の変化を考慮した各番組に対する反響度の補正を、例えば、図３のフローチャートのステップＳ１０５の視聴率に基づく補正の前後に行うことが可能である。
【００５４】
以上、説明したように、本発明の第１の実施の形態によれば、録画番組の放送時に、インターネット３０上に公開されているブログ群のうちの録画番組に関する記載を含むブログの更新状況に基づいて、この録画番組に対する世間一般における反響度（注目の度合い）を算出し、算出された反響度に応じた処理（ユーザへの通知や反響度に従った処理など）を行うことが可能となる。また、映像記録再生装置１は、録画番組の視聴率を取得し、取得した視聴率で番組に対する反響度を補正することによって、世間一般における番組に対する反響度をより的確に算出することが可能となる。
【００５５】
＜第２の実施の形態＞
次に、本発明の第２の実施の形態について説明する。まず、図４を参照しながら、本発明の第２の実施の形態における映像記録再生装置を含むシステム構成について説明する。図４には、本発明の第２の実施の形態に係る映像記録再生装置の構成が主に図示されている。なお、本発明の第２の実施の形態において、ｗｅｂサーバ１５を始めとするインターネット上の構成は上述の図２に図示されている構成と同様であり、ここでは説明を省略する。
【００５６】
図４において、本発明の第２の実施の形態における映像記録再生装置４０は、ユーザ入力部２、録画設定部３、受信部４、コンテンツ管理部５、ブログ検索部６、番組選定部７、番組選定設定部８、ＥＰＧ情報記憶部９、コンテンツ記録媒体１０、読み出し／書き込み制御部１１、データ処理部１２、表示出力処理部１３、ブログフィルタ設定部１７、視聴率抽出部１８を有している。
【００５７】
上述の本発明の第１の実施の形態における映像記録再生装置１（図１に図示されている映像記録再生装置１）と比較した場合、本発明の第２の実施の形態における映像記録再生装置４０は、ブログフィルタ設定部１７を更に備えた構成を有している。以下では、ブログフィルタ設定部１７や、ブログフィルタ設定部１７に付随して追加された機能について説明を行い、図１に図示されている映像記録再生装置１に含まれている同一の機能ブロックに関しては説明を省略する。
【００５８】
ブログフィルタ設定部１７は、ブログ検索部６におけるブログの検索条件を設定する機能を有している。ブログフィルタ設定部１７は、ブログ検索部６がブログ検索を行う際の検索条件として、例えば、ユーザ入力部２から入力される性別、年齢、職業、地名、趣味などの情報を設定する。
【００５９】
ブログフィルタ設定部１７によって検索条件が設定された場合、ブログ検索部６は、こうした検索条件に従って、検索対象を絞ってブログ検索を行う。その結果、ブログ検索部６は、注目したいターゲット層（すなわち、検索条件）のブログのみを含む検索結果を得ることができる。なお、ブログフィルタ設定部１７によって設定される検索条件を、例えば、映像記録再生装置４０のユーザのプロフィールに対応した内容とすることで、映像記録再生装置４０のユーザと同一条件（例えば、同一の年代や同一の性別など）を有する人々の各番組に対する反響度を取得できるようになる。
【００６０】
ブログ検索部６は、上述の本発明の第１の実施の形態と同様、検索結果を番組選定部７へ渡し、番組選定部７は、検索条件によって検索対象を絞ったブログ群において、各番組に対する各ブログの関連度の合計を計算し、その計算結果を各番組に対する反響度とする。また、このようにして得られた反響度を補正するための視聴率データに関しても、性別や年代ごとに分類された視聴率データを用いて、注目したいターゲット層による番組への注目度を評価してもよい。
【００６１】
次に、図５を参照しながら、本発明の第２の実施の形態における映像記録再生装置の動作について説明する。図５は、本発明の第２の実施の形態における映像記録再生総理の動作の一例を示すフローチャートである。
【００６２】
図５において、まず、映像記録再生装置４０のブログフィルタ設定部１７は、ユーザ入力部２からの入力に従って、ブログの検索条件を設定する（ステップＳ２０１）。ブログフィルタ設定部１７は、ブログの検索条件として、ブログのターゲット層（例えば、２０代男性限定）などのようなプロフィールによる制限を設定することが可能である。
【００６３】
番組の録画が行われた場合には、映像記録再生装置４０は、録画中あるいは録画済みの各番組に対して、所定の時間内（例えば、番組の放送終了から３時間以内）に更新されたブログ群を抽出する（ステップＳ２０２）。そして、映像記録再生装置４０は、例えばＥＰＧ情報やブログ内の情報（キーワードなど）に基づいて、所定の時間内に更新されたブログ群の中から、所定時間内の各番組に関連したブログコンテンツが掲載されているブログを検索する（ステップＳ２０３）。
【００６４】
さらに、映像記録再生装置４０は、検索対象のブログを、ステップＳ２０１で入力された検索条件（２０代男性）に制限して検索結果を絞り込み（ステップＳ２０４）、その結果得られたブログに関して、各番組に対する各ブログの関連度の合計を計算し、その計算結果を各番組に対する反響度とする（ステップＳ２０５）。なお、可能であれば、映像記録再生装置４０は各番組の視聴率を取得し（ステップＳ２０６）、各番組の視聴率を考慮して各番組に対する反響度を補正してもよい（ステップＳ２０７）。
【００６５】
そして、映像記録再生装置４０は、各番組に対する反響度（ステップＳ２０７で補正が行われた場合には、補正後の反響度）が所定の反響度（基準値）に達しているか否かを判断する（ステップＳ２０８）。反響度が所定の反響度に達した番組に関しては、その番組を世間の反響が大きかった番組とみなし、番組の優先順位を上げるとともに（ステップＳ２０９）、ユーザに対してその対象番組が世間から注目されている旨を通知する（ステップＳ２１０）。なお、ステップＳ２１０の通知方法として、例えば、ステップＳ２０９で優先順位が上げられた番組が同一の日に複数存在する場合には、翌日に『昨日の注目番組』としてまとめてユーザに通知してもよい。また、ステップＳ２１０において、優先度が高い録画番組から順番に所定数の録画番組をユーザに通知してもよい。
【００６６】
一方、映像記録再生装置４０は、反響度が所定の反響度に達しなかった番組に関しては、その対象番組に対してのブログの書き込みがあまりなく、世間での反響が低かった番組とみなし（ステップＳ２１１）、特にこの番組の優先順位を上げることはしない。なお、映像記録再生装置１は、各番組の関連度や視聴率に応じて各番組の優先順位を変化させてもよく、さらに、コンテンツ記録媒体１０の容量の節約のため、優先順位の低い番組のデータの画質を落としたり、番組のデータそのものを削除したりしてもよい。
【００６７】
なお、本発明の第２の実施の形態においても、上述の本発明の第１の実施の形態と同様に、ブログの更新状況を考慮して、各番組に対する反響度を決定してもよい。
【００６８】
以上、説明したように、本発明の第２の実施の形態によれば、録画番組の放送時に、インターネット３０上に公開されているブログ群から特定のターゲット層（例えば、映像記録再生装置４０のユーザと同一のプロフィールを有する人々）に対応するブログを抽出し、特定のターゲット層のブログ群のうちの録画番組に関する記載を含むブログの更新状況に基づいて、この録画番組に対する世間一般における反響度（注目の度合い）を算出し、算出された反響度に応じた処理（ユーザへの通知や反響度に従った処理など）を行うことが可能となる。また、映像記録再生装置１は、録画番組の視聴率を取得し、取得した視聴率で番組に対する反響度を補正することによって、世間一般における番組に対する反響度をより的確に算出することが可能となる。
【００６９】
なお、以上の説明では、反響度を算出するために用いる情報を、ブログから得る例を示したが、ブログに限らず、インターネット上で個人の書き込み情報を取得できるものであれば、どのような形態のものでもよい。例えば、個人が運用するホームページなどでもよい。
【産業上の利用可能性】
【００７０】
本発明の番組記録再生装置によれば、録画された番組の順位付けを行う際に、所定の短い時間内にブログにより多く書かれた番組の順位を優先的に高くし、番組の優先順位が高い番組を、世間一般における反響度の高い番組としてユーザに通知することが可能となるという効果を有し、多数の人々が視聴可能な放送番組（配信番組）を受信し、その番組のデータを記録したり、記録したデータを再生したりすることが可能な番組記録再生技術に適用可能である。
【図面の簡単な説明】
【００７１】
【図１】本発明の第１の実施の形態に係るシステム構成の一例を示す図であり、主に映像記録再生装置の構成を示す図である。
【図２】本発明の第１の実施の形態に係るシステム構成の一例を示す図であり、主にインターネット上の構成を示す図である。
【図３】本発明の第１の実施の形態の映像記録再生装置の動作の一例を示すフローチャートである。
【図４】本発明の第２の実施の形態に係るシステム構成の一例を示す図であり、主に映像記録再生装置の構成を示す図である。
【図５】本発明の第２の実施の形態の映像記録再生装置の動作の一例を示すフローチャートである。
【図６】本発明の第１及び第２の実施の形態の映像記録再生装置が特定の番組に関して抽出するブログ件数の時間変化の一例を示す図である。
【図７】本発明の第１及び第２の実施の形態の映像記録再生装置が特定の番組に関して抽出するブログ件数の週単位の変化の一例を示す図である。
【符号の説明】
【００７２】
１、４０  映像記録再生装置（番組記録再生装置）
２  ユーザ入力部
３  録画設定部
４  受信部
５  コンテンツ管理部
６  ブログ検索部
７  番組選定部
８  番組選定設定部
９  ＥＰＧ情報記憶部
１０  コンテンツ記録媒体
１１  読み出し／書き込み制御部
１２  データ処理部
１３  表示出力処理部
１４  放送局
１５  ｗｅｂサーバ
１６  ブログ抽出部
１７  ブログフィルタ設定部
１８  視聴率抽出部
１９  データベースサーバ
２０  ブログデータベース
３０  インターネット
【図１】
2009200918.tif 000003
【図２】
2009200918.tif 000004
【図３】
2009200918.tif 000005
【図４】
2009200918.tif 000006
【図５】
2009200918.tif 000007
【図６】
2009200918.tif 000008
【図７】
2009200918.tif 000009